(57)【要約】【課題】ヘッドに装着するための特殊な形状を持たない清掃用のシートが取り付けられると共に、上下に反転させて使用することができる清掃具を提供する。【解決手段】清掃具本体３と、シート２を装着状態に保持するためのシート保持部材２０とを有し、清掃具本体３は、上下面を有するヘッド４を備えていて、前記シート保持部材２０は、枠状に形成されていて、当該枠の大きさは前記ヘッド４が通り抜けることができる大きさであり、該シート保持部材２０は、基端部２０ａが、清掃具本体３に回動自在に連結されていることにより、前記ヘッド４より下方の退避位置と、ヘッド４よりも上方のシート保持位置とに変位自在である。【選択図】図１
2019013387.tif 000002
【特許請求の範囲】
【請求項１】
汚れを拭き取る清掃用のシートを取り付けて使用する清掃具であって、
前記清掃具は、前記シートを装着するための清掃具本体と、前記シートを装着状態に保持するためのシート保持部材とを有し、
前記清掃具本体は、上下面を有する板状のヘッドと、該ヘッドの一端に連なる柄とを備え、前記ヘッドの下面には、前記シートが装着される装着面が設けられており、
前記シート保持部材は、前記ヘッドの幅よりも外側の位置を該ヘッドの前後方向に延びる左右の側片を有し、基端部を前記清掃具本体に回動自在に連結されることにより、該シート保持部材は、前記側片がヘッドより下方に位置する退避位置とヘッドよりも上方に位置するシート保持位置とに変位自在である、
ことを特徴とする清掃具。
【請求項２】
前記シート保持部材の表面には、クッション材が取り付けられていることを特徴とする請求項１に記載の清掃具。
【請求項３】
前記ヘッドは前後方向に長い矩形状を成し、
前記シート保持部材の側片は、ヘッドの上面側に向けて凸状に湾曲していることを特徴とする請求項１または２に記載の清掃具。
【請求項４】
前記シート保持部材は、左右の側片の先端同士が連結されることで枠状に形成され、該枠の大きさが、前記ヘッドが通り抜けることができる大きさであることを特徴とする請求項１−３の何れかに記載の清掃具。
【請求項５】
前記ヘッドの装着面には、緩衝用のパッドが取り付けられていることを特徴とする請求項１−４の何れかに記載の清掃具。
【請求項６】
前記清掃具本体には、前記ヘッドと柄との間に第１連結部が設けられ、前記シート保持部材の基端部には、前記第１連結部に連結される第２連結部が設けられていて、
前記第１連結部に第１ピン挿通孔が形成されると共に、第２連結部に第２ピン挿通孔が形成されており、これら第１及び第２ピン挿通孔に連結ピンが挿通されることで、清掃具本体にシート保持部材が、前記連結ピンを回動中心として回動自在に連結されていることを特徴とする請求項１−５の何れかに記載の清掃具。
【請求項７】
前記シート保持部材は、ばねによって前記シート保持位置へと常時付勢されており、
また、前記シート保持部材には、前記第２連結部に操作レバーが設けられていて、該操作レバー２を操作することで、前記シート保持部材を、前記ばねの付勢力に抗して、前記シート保持位置から退避位置へと変位させることができるように構成されていることを特徴とする請求項６に記載の清掃具。
【発明の詳細な説明】
【技術分野】
【０００１】
本発明は、埃や塵等を拭き取る清掃用のシートを取付けて清掃を行う清掃具に関するものである。
【背景技術】
【０００２】
従来から、清掃用のシートを装着して清掃を行う清掃具としては、例えば、モップ本体シートを取り付けるためのヘッドと、該ヘッドの根元に連結された柄とを有するものが知られている（特許文献１参照）。この清掃具は、前記ヘッドが、根元から二又状に分かれる一対の差込板から成っていて、前記清掃具にシートを取り付ける場合、前記シートの上面に形成された袋状の一対の隙間（受け部）に当該差込板を差し込むことで行われる。
前述した従来の清掃具では、前記差込板に挿通するための袋状の受け部が形成された専用の清掃シートは装着することができるが、前記差込板を挿入する受け部を持たない平面状のシートは取り付けることができない。
【０００３】
一方、特許文献２には、弾力性を有する円柱形状をしたヘッドと、柄と、柄に回動自在に連結された止着棒とを有し、清掃用のシートを前記ヘッドの外周面に巻き付けて、巻き付けたシートを、前記止着棒とヘッドとで挟持して使用する清掃具が開示されている。このものによれば、前記受け部を持たない平面状のシートを使用することができると同時に、ヘッドの位置を周方向にずらしながら使用することで、シートの一面を無駄なく使用することができる。しかしながら、この清掃具は、前記ヘッドが円柱状に形成されていることで、清掃対象箇所への接触面積が小さく、また、シートを装着するには、前記止着棒でシートを挟むように形成されていることから、清掃具をひっくり返して使おうとしても該止着棒が邪魔となり、上下逆向きの姿勢で使用することができなかった。
【先行技術文献】
【特許文献】
【０００４】
【特許文献１】特開２００５−２３０５７６号公報
【特許文献２】特開平９−４７４１７号公報
【発明の概要】
【発明が解決しようとする課題】
【０００５】
本発明の技術的課題は、平面状の清掃用のシートを装着することができ、上下に反転させて使うことができる清掃具を提供することにある。
【課題を解決するための手段】
【０００６】
前記課題を解決するため、汚れを拭き取る清掃用のシートを取り付けて使用する清掃具であって、前記清掃具は、前記シートを装着するための清掃具本体と、前記シートを装着状態に保持するためのシート保持部材とを有し、前記清掃具本体は、上下面を有する板状のヘッドと、該ヘッドの一端に連なる柄とを備え、前記ヘッドの下面には、前記シートが装着される装着面が設けられており、前記シート保持部材は、前記ヘッドの幅よりも外側の位置を該ヘッドの前後方向に延びる左右の側片を有し、基端部を前記清掃具本体に回動自在に連結されることにより、該シート保持部材は、前記側片がヘッドより下方に位置する退避位置とヘッドよりも上方に位置するシート保持位置とに変位自在であることを特徴とする清掃具が提供される。
【０００７】
本発明においては、前記シート保持部材の表面には、クッション材が取り付けられていることが好ましい。
【０００８】
また、前記ヘッドは前後方向に長い矩形状を成し、前記側片は、ヘッドの上面側に向けて凸状に湾曲していることが好ましい。
【０００９】
本発明において、好ましくは、前記シート保持部材は、左右の側片の先端同士が連結されることで枠状に形成され、該枠の大きさが、前記ヘッドが通り抜けることができる大きさである。
【００１０】
前記ヘッドの装着面には、緩衝用のパッドが取り付けられていることが好ましい。
【００１１】
また、前記清掃具本体には、前記ヘッドと柄との間に第１連結部が設けられ、前記シート保持部材の基端部には、前記第１連結部に連結される第２連結部が設けられていて、
前記第１連結部に第１ピン挿通孔が形成されると共に、第２連結部に第２ピン挿通孔が形成されており、これら第１及び第２ピン挿通孔に連結ピンが挿通されることで、清掃具本体にシート保持部材が、前記連結ピンを回動中心として回動自在に連結されていることでもよい。
このとき、前記シート保持部材は、ばねによって前記シート保持位置へと常時付勢されており、また、前記シート保持部材には、前記第２連結部に操作レバーが設けられていて、該操作レバー２を操作することで、前記シート保持部材を、前記ばねの付勢力に抗して、前記シート保持位置から退避位置へと変位させることができるように構成されていると、より好ましい。
【発明の効果】
【００１２】
本発明の清掃具は、平面状の清掃用のシートを装着することができ、また、シート保持部材がシート保持位置にあるときには、前記シートが、板状のヘッドに係合されると共に、シート保持部材の上面を覆うため、上下に反転させて使用することができる。
【図面の簡単な説明】
【００１３】
【図１】本発明に係る清掃具の第１実施形態を示すもので、シート保持部材がシート保持位置に位置したときの状態を示す平面図である。
【図２】図１の底面図である。
【図３】図１の側面図である。
【図４】シート保持部材が退避位置に位置したときの状態を示す側面図である。
【図５】図４の退避位置に位置した状態でヘッドとシート保持部材との間にシートを介挿した状態を示す外観斜視図である。
【図６】前記清掃具の分解斜視図である。
【図７】前記シートを清掃具に装着した状態を示す外観斜視図である。
【図８】シート装着状態にある清掃具を図７とは別の視点から見た外観斜視図である。
【図９】シート装着状態にある清掃具の正面図である。
【図１０】本発明に係る清掃具の第２実施形態を示す平面図である。
【図１１】第２実施形態のクッション材を示す外観斜視図である。
【図１２】図１０の清掃具にクッション材を取り付けた状態を示す平面図である。
【図１３】本発明に係る第３実施形態の清掃具における連結材を示す平面図である。
【図１４】図１３の連結材を取り付けた清掃具の平面図である。
【図１５】本発明に係る第４実施形態の清掃具における連結材を示す平面図である。
【図１６】図１５の連結材を取り付けた清掃具の平面図である。
【図１７】図１６の底面図である。
【発明を実施するための形態】
【００１４】
図１−図９は、本発明に係る清掃具の第１実施形態を示している。前記清掃具１Ａは、清掃対象箇所に付着した汚れをふき取る清掃用のシート２を取り付け、当該清掃対象箇所の清掃を行うものである。
【００１５】
前記シート２は、様々な形状、材質のものを適宜選択することができる。例えば、図５に示すように、織物製または不織布製の長方形状の布に、洗浄液や水を含浸させたウェットタイプのものや、乾拭き用のドライタイプの汎用の清掃シートを使用することができる。或いは、ティッシュペーパー等の薄く柔らかい紙を用いることもできる。
【００１６】
前記清掃具１Ａは、前記シート２を装着するための清掃具本体３と、前記シート２を装着状態に保持するためのシート保持部材２０とを有している。
【００１７】
前記清掃具本体３について説明する。
清掃具本体３は、上面４ａ及び下面４ｂを有する板状のヘッド４と、該ヘッド４の一端に連なる柄５とを備えている。これらヘッド４と柄５とは合成樹脂により一体に成形されていて、該ヘッド４と柄５とが連なる中間部６は、ヘッド４側から柄５側に向けて上向きに傾斜している。
【００１８】
前記柄５は、片手で握ることができる細長い棒状に形成されていて、前記中間部６の傾斜角よりも小さい角度で後方に向けて上向きに傾斜している。柄５の後端部には孔７が開設されており、この孔７にフック等の吊具を通すことで、前記清掃具１Ａを吊るすことができるように構成されている。
【００１９】
前記ヘッド４は、前後方向に長い矩形状を成していて、該ヘッド４の長手方向長さが、前記柄５の長手方向長さとほぼ等しい長さに形成されている。このヘッド４は、図１及び図５に示すように、ヘッド４の前端面４ｃと、該ヘッド４の長手方向に沿って延びる両側端面４ｄ，４ｄとの交わる角部が丸められている。また、前記ヘッド４の下面４ｂには、前記シート２が装着される装着面８が設けられていて、該装着面８でシート２を清掃対象箇所に押し付けながら清掃が行われるように構成されている。この装着面８には、緩衝用のパッド９が取り付けられている。なお、前記ヘッド４の下面４ｂは、ヘッド４の長手方向の一端側と他端側との２箇所の位置に、該ヘッド４の短手方向（幅方向）に延びる突条１０を有している（図６参照）。
【００２０】
前記パッド９は、前記装着面８を清掃対象箇所に押し付ける際に適度のクッション性を与えると共に、清掃対象箇所に疵が付くのを防止するものである。パッド９は、合成樹脂発泡体からなるもので、前記清掃具本体３を形成する合成樹脂よりも軟質な材料で形成されている。また、このパッド９は、矩形の断面形状を有する細長い平坦な板状に形成されていて、パッド９の板厚が、前記ヘッド４の板厚とほぼ同じ厚さと成っている。また、パッド９は、前記ヘッド４の外周に沿った輪郭を有していると共に、該ヘッド４の下面４ｂ全域を被覆するように構成されている。この実施例では、前記パッド９が、前記ヘッド４の外周よりも大きく形成され、その結果、該ヘッド４からはみ出した状態と成っている。
【００２１】
さらに、このパッド９には、板厚方向に貫通するスリット１１が設けられている。このスリット１１は、パッド９の長手方向の一端側と他端側との２つの位置で、該パッド９の幅方向に向けて切り込まれている。前記スリット１１は、ヘッド４とパッド９とを厚さ方向に重ねた際に、ヘッド４に設けた前記突条１０と一致する位置に形成されていて、このスリット１１に該突条１０が嵌入されることで、ヘッド４にパッド９が位置決めされ、位置決めされた状態で、接着剤等の適宜の固着手段によりヘッド４に固着されている。なお、パッド９の厚さは少なくとも、前記突条１０の突出高さよりも厚く形成されていて、突条１０がパッド９から突き出さないように形成されている。
【００２２】
前記シート保持部材２０は、ヘッド４の幅よりも外側の位置を該ヘッド４の前後方向に延びる左右の側片２１，２１を有し、また、このシート保持部材２０は、シート保持部材２０の基端部２０ａを、前記清掃具本体３に回動自在に連結されていることで、前記側片２１がヘッド４よりも下方の退避位置（図４参照）と、該ヘッド４よりも上方のシート保持位置（図３参照）とに変位自在に構成されている。
【００２３】
以下、このシート保持部材２０の具体的形状について説明する。前記シート保持部材２０は、合成樹脂によって形成されている。この合成樹脂材料は、清掃具本体３と同じであってもよく、又は、異なる材料で形成されていてもよい。このシート保持部材２０の前記側片２１は、シート保持部材２０の基端部２０ａから二又状に分岐すると共に、該側片２１，２１の先端同士がヘッド４よりも前方の位置で相互に連結されている。このように構成したことで、前記シート保持部材２０は枠状に形成され、該枠の大きさが、前記ヘッド４が通り抜けることができる大きさと成っている。なお、シート保持部材２０は、楕円形の外周形状を有する枠状に形成されているが、矩形枠状を成していてもよい。
【００２４】
図３に示すように、左右の側片２１，２１は、ヘッド４の上面４ａ側に向けて凸状に湾曲している。側片２１の湾曲の頂点は、この側片２１の長手方向の中間位置に位置している。前記側片２１が湾曲していることで、前記シート保持部材２０がシート保持位置にあるとき、該側片２１，２１は、ヘッド４を通り抜けて、該ヘッド４の上面４ａよりも上方に位置する。このように構成したことで、清掃具１にシートを装着した際、図９に示すように、ヘッド４の上面４ａ側において、前記側片２１を覆うようにシート２が係合するため、清掃具１を上下反転させることにより、該側片２１を清掃対象箇所に弾力的に押し付けるようにして清掃することもできる。
【００２５】
前記シート保持部材２０の表面には、クッション材２２が取り付けられている。前記クッション材２２は、適宜の合成樹脂からなるものであって、前記側片２１の外側縁２１ａを被覆するように取り付けられている。なお、クッション材２２は、前記側片２１の内側縁２１ｂを除く外側縁２１ａを部分的に被覆しているが、側片２１全体を樹脂コーティングすることでもよい。このクッション材２２を設けたことにより、シート保持部材２０の側片２１を押し付けて清掃する際、適度なクッション性が付与されると共に、清掃対象箇所に疵がつくのを防止することができる。
【００２６】
図３に示すように、シート保持部材２０の基端部２０ａ側には、該シート保持部材２０がシート保持位置に回動したときの位置を定める当接部２３が設けられている。この当接部２３は、後方に向けて上向きに傾斜する形状を有しており、シート保持部材２０がシート保持位置へと回動したときに、清掃具本体３の前記中間部６に当接して、その回動位置を規制する。
【００２７】
次に、清掃具本体３とシート保持部材２０との連結に関する構成について説明する。
前記清掃具本体３には、前記ヘッド４と柄５との間に第１連結部１２が設けられ、シート保持部材２０には、前記第１連結部１２に連結される第２連結部２４が設けられていて、当該第１及び第２連結部１２，２４が相互に連結されていることで、清掃具本体３とシート保持部材２０とが回動可能に一体化されている。
【００２８】
図６に示すように、前記第１連結部１２は、前記中間部６から下向きに突設する左右一対の第１突片１３，１３と、これら第１突片１３，１３に穿設された第１ピン挿通孔１４，１４とを有している。また、前記第２連結部２４は、前記当接部２３から上向きに突設する左右一対の第２突片２５，２５と、これら第２突片２５，２５に穿設された第２ピン挿通孔２６，２６とを有している。
【００２９】
前記第２突片２５，２５同士の離間距離は、前記第１突片１３，１３同士の離間距離よりも短く成っていて、これら第１突片１３，１３間に、第２突片２５，２５が配設されている。そして、これら突片１３，２５に設けた第１及び第２ピン挿通孔１４，２６が一直線上に並んだ状態で、これら第１及び第２ピン挿通孔１４，２６に丸棒状の連結ピン３１が挿通されている。そうすることで、清掃具本体３にシート保持部材２０が、該連結ピン３１を回動中心として回動自在に連結されている。
【００３０】
また、前記連結ピン３１には、コイルばねから成るばね３０の輪部が嵌装されると共に、該ばね３０の一端が前記清掃具本体３の柄５側で支持され、該ばね３０の他端が前記シート保持部材２０の基端部２０ａで支持されている。このように構成されていることで、前記シート保持部材２０がシート保持位置に向けて常時付勢されている。
【００３１】
前記シート保持部材２０には、第２連結部２４から前記当接部２３の反対側に突出する操作レバー２７が設けられていて、前記ばね３０の付勢力に抗して該操作レバー２７を回動操作することで、当該シート保持部材２０を、前記シート保持位置から退避位置へと変位させることが可能に成っている。操作レバー２７は、前記柄５を握った状態で指で該柄５側へと引き寄せることができるように構成されている。また、前記操作レバー２７は、前記当接部２３との間に角度を保って下方に延設され、前記シート保持部材２０がシート保持位置にある状態で、該操作レバー２７と前記清掃具本体３との間に適宜の隙間が設けられている。この隙間が操作レバー２７の引き代と成っている。
【００３２】
また、図４及び図６に示すように、シート保持部材２０の基端部２０ａには突起２８が設けられている。突起２８は、前記当接部２３から上方に向けて突設されていて、前記シート２を装着するときに、突起２８に該シート２を突き合わせてシート保持部材２０上に配することで、シート２の位置合わせが行われる。また、シート保持部材２０の回動時に、前記シート２が第１及び第２連結部１２，２４に噛み込むのが防止される。なお、清掃具本体３の前記中間部６の下面には凹溝１５が設けられていて、この凹溝１５が、前記突起２８を収容して、該突起２８と清掃具本体３との接触を避ける逃げ部に成っている。
【００３３】
前記清掃具１を用いて清掃する場合には、先ず、前記操作レバー２７をばね３０の弾発力に抗して握りこみ、シート保持部材２０を、図３に示すシート保持位置から図４に示す退避位置へと変位させる。この状態で、図５に示すように、開かれたシート保持部材２０と清掃具本体３との間に前記シート２を介挿し、前記突起２８に該シート２の縁部を突き合わせて位置合わせを行いながら、シート保持部材２０上に載置する。それから、操作レバー２７を離すことで、前記シート保持部材２０が、前記ばね３０によるばね力により前記退避位置からシート保持位置へと復帰して、前記装着面８に取り付けられたパッド９と、前記シート保持部材２０（側片２１，２１）との間にシート２が挟持される（図７−図９参照）。
【００３４】
前記シート２を装着状態に固定したら、図７及び図９に示すように、前記ヘッド４の装着面８側を清掃対象箇所に対峙させ、前記シート２が係合されたパッド９を清掃対象箇所に押し付けながら摺接することにより、シート２の一方の面２ａで清掃を行うことができる。
また、清掃具１は、シート保持部材２０がシート保持位置にあるときに、該シート保持部材２０の上面がシート２で覆われているため、清掃対象箇所によっては、図８に示すように、前記清掃具１を上下反転させて、今度はヘッド４の上面４ａ側を清掃対象箇所に対峙させ、シート２が係合された前記シート保持部材２０の側片２１，２１を清掃対象箇所に弾性的に押し付けながら摺接することで、シート２の他の面２ｂで清掃を行うこともできる。
【００３５】
また、第１実施形態では、ヘッド４の前記装着面８に合成樹脂製のパッド９が取り付けられているが、緩衝性を有するものであれば、例えば、不織布等の柔らかい部材を接着等の適宜方法で取り付けることでもよい。
【００３６】
第１実施形態の清掃具１Ａでは、前記シート保持部材２０が枠状に形成されているが、該シート保持部材２０は枠状をしていなくてもよい。その例を、以下に示す第２−第４実施形態で説明する。
【００３７】
図１０−図１２は、第２実施形態の清掃具１Ｂを示すものである。
清掃具１Ｂは、シート保持部材２０の側片２１，２１の先端同士が連結されておらず、該側片２１の先端２１ｃは自由端に成っている。この清掃具１Ｂは、第１実施形態の清掃具１Ａと同様の方法により、前記シート２を装着して使用することが可能である。しかし、左右の側片２１，２１が連なっていないことから、使用時に、両側片２１，２１が同期せずにばらばらに動いてしまうことも考えられる。そこで、第２実施形態の清掃具１Ｂには、左右の側片２１，２１の先端同士を連結するための連結材４０が取り付けられていて、該連結材４０を介して両側片２１，２１が一体化されている。
【００３８】
前記連結材４０は、緩衝性を有する布材料により筒状に形成されたものであり、直線状を成す左右一対の第１部分４１，４１と、これら第１部分４１，４１を連結する弓状の第２部分４２とにより平面視Ｕ字形に形成されていて、左右の第１部分４１，４１の端部には開口部４３が設けられている。また、前記連結材４０がＵ字形に形成されていることで、シート保持部材２０を回動させた際、前記ヘッド４が、当該連結材４０に接触しないで通り抜けることができるように成っている。
【００３９】
また、前記連結材４０は布材料で形成され、該連結材４０を取り付けることで側片２１に緩衝性を持たせることができるため、この第２実施形態では、該側片２１にクッション材２２が設けられていない。勿論、側片２１に合成樹脂から成るクッション材２２を形成し、その上から連結材４０を被せてもよい。
【００４０】
前記側片２１に連結材４０を取り付ける場合には、シート保持部材２０を退避位置に位置させて、側片２１の先端２１ｃを、前記第１部分４１の開口部４３から挿通し、前記第２部分４２まで到達させることにより行われる。清掃具１Ｂは、左右の側片２１，２１が、連結材４０を介して連結されていることで、シート保持部材２０を回動させた際に、該両側片２１，２１を同期させて一緒に動かすことができるように構成されている。
前記連結材４０が汚れた場合等は、連結材４０を側片２１から取り外し、新しいものと交換することができ、また、汚れた連結材４０の洗浄を行って、洗浄後の連結材４０を再度側片２１に取り付けることもできる。
また、連結材４０は、布材料で形成されている為、当該連結材４０自体にも汚れを拭き取る清掃機能が備えられており、使用時には、シート２の拭き取り作用と相俟って清掃効果が高められる。また、連結材４０を、マイクロファイバー等の微細な繊維で形成することで、よりその清掃効果を高めることもできる。
【００４１】
図１３及び図１４は、第３実施形態の清掃具１Ｃを示すものである。
この清掃具１Ｃの側片２１，２１は、平面状のシート体から成る連結材５０により連結され、一体化されている。なお、前記清掃具１Ｃは、第１実施形態のように、前記側片２１にクッション材２２が設けられていて、該側片２１自体にクッション性が与えられている。
【００４２】
前記連結材５０は、薄くて柔らかいシート原材を裁断したものであり、左右に分かれた直線状を成す帯状の第１部分５１，５１と、これら第１部分５１，５１を繋ぐ第２部分５２とにより、平面視Ｕ字状に形成されている。前記第１部分５１にはスリット５３が設けられており、該スリット５３は、第１部分５１の長手方向と直交する向きに切設されている。また、スリット５３は、第１部分５１の長手方向に間隔をおいて複数個所に形成されている。
なお、スリット５３の数やスリット５３間の間隔は適宜設けることができる。
【００４３】
前記連結材５０を取り付ける場合には、シート保持部材２０を退避位置に位置させて、前記側片２１が、連結材５０の表裏面に交互に表れるように、第１部材５１の端部側から、前記先端２１ｃを複数のスリット５３に順次挿通することにより行われる。側片２１を全てのスリット５３に差し込むことで、該側片２１に連結材５０が取り付けられ、両側片２１，２１を同期させて動かすことができる。それから、前記シート２を清掃具１Ｃに装着することで清掃対象箇所の清掃を行うことができる。
【００４４】
または、第４実施形態のように、Ｕ字形をしていない平面状のシートを連結材として使用することもできる。
第４実施形態の清掃具１Ｄでは、図１５−図１７に示すとおり、左右の側片２１，２１同士を連結する連結材６０が、長方形状の平面形状を有し、その短手方向の両側に、前記側片２１を挿通するためのスリット６１が、該連結材６０の長手方向に間隔をおいて複数形成されている。また連結材６０の中央位置には、長手方向に延びるヘッド挿通用スリット６２が設けられている。このヘッド挿通用スリット６２は、連結材６０の一方の短辺まで達していて、このヘッド挿通用スリット６２を境に、一対の分割片６３，６３が左右に分かれるように成っている。前記スリット６１はこの分割片６３に形成されている。
なお、この清掃具１Ｄは、前記第３実施形態と同様に、側片２１の表面に合成樹脂から成るクッション材２２が設けられ、側片２１自体にクッション性が付与されている。
【００４５】
前記連結材６０を取り付ける場合には、先ず、シート保持部材２０を退避位置に変位させたのち、前記第３実施形態のように、左右の側片２１の先端２１ｃを、前記連結材６０の一方の短辺側から、左右の分割片６３，６３に形成されたスリット６１に順次挿通し、該側片２１が全てのスリット６１を通過した状態で、側片２１への装着が完了する。
【００４６】
前記シート保持部材２０を、前記退避位置から前記シート保持位置に変位させると、図１６及び図１７に示すように、前記ヘッド４が、ヘッド挿通用スリット６２を左右に開いて連結材６０を通り抜けるように構成されている。つまり、ヘッド４は、ヘッド挿通用スリット６２を通じて連結材６０の表裏面側に位置することができ、その結果、前記シート保持部材２０がシート保持位置に位置するとき、前記側片２１を、前記ヘッド４よりも上面４ａ側に位置させることができる。このようにして、側片２１に連結材６０を取り付けたあと、前記シート２を装着し、清掃具１Ｄを使用することができるように成っている。
【００４７】
この第２−第４実施形態の前記以外の構成は、前記第１実施形態と実質的に同じであるから、両者の主要な同一構成部分に第１実施形態の場合と同一の符号を付し、その説明は省略する。
【符号の説明】
【００４８】
１Ａ，１Ｂ，１Ｃ，１Ｄ      清掃具
２      シート
３      清掃具本体
４      ヘッド
４ａ    上面
４ｂ    下面
５      柄
８      装着面
９      パッド
１２    第１連結部
１４    第１ピン挿通孔
２０    シート保持部材
２１    側片
２２    クッション材
２４    第２連結部
２６    第２ピン挿通孔
２７    操作レバー
３０    ばね
３１    連結ピン
【図１】
2019013387.tif 000003
【図２】
2019013387.tif 000004
【図３】
2019013387.tif 000005
【図４】
2019013387.tif 000006
【図５】
2019013387.tif 000007
【図６】
2019013387.tif 000008
【図７】
2019013387.tif 000009
【図８】
2019013387.tif 000010
【図９】
2019013387.tif 000011
【図１０】
2019013387.tif 000012
【図１１】
2019013387.tif 000013
【図１２】
2019013387.tif 000014
【図１３】
2019013387.tif 000015
【図１４】
2019013387.tif 000016
【図１５】
2019013387.tif 000017
【図１６】
2019013387.tif 000018
【図１７】
2019013387.tif 000019